(57)【要約】      （修正有）【課題】衝撃に強く、作業性が高く作業者への安全性に配慮できる、放射線遮蔽床材を提供する。【解決手段】放射線遮蔽床材１０は、放射線を遮蔽する遮蔽体１１と、遮蔽体１１の表面および裏面の少なくとも一方に積層される被覆体１２、１３と、遮蔽体１１および被覆体１２、１３の少なくとも一つの端面において隣接する床材と嵌合可能な嵌合部１４と、を備える。これにより、床面の面積や形状に合わせてフレキシブルに放射線遮蔽床材１０を敷設することができる。【選択図】図２
0003167331.tif 000002
【実用新案登録請求の範囲】
【請求項１】
放射線を遮蔽する遮蔽体と、
前記遮蔽体の表面および裏面の少なくとも一方に積層される被覆体と、
前記遮蔽体および前記被覆体の少なくとも一つの端面において隣接する床材と嵌合可能な嵌合部と、を備える放射線遮蔽床材。
【請求項２】
前記被覆体は、衝撃に対する柔軟性を有する、請求項１記載の放射線遮蔽床材。
【請求項３】
前記被覆体は、前記放射線遮蔽床材が敷設される室内の床面、壁面および天井の少なくとも一つと同等の素材を有する、請求項１又は２記載の放射線遮蔽床材。
【請求項４】
前記遮蔽体は、２０ＭＰａ以上の圧縮強度を有する、請求項１から３のいずれか記載の放射線遮蔽床材。
【請求項５】
前記遮蔽体は、金属粉末および金属化合物粉末の少なくとも一つと有機物との複合体である、請求項１から４のいずれか記載の放射線遮蔽床材。
【請求項６】
前記金属粉末および金属化合物粉末の少なくとも一方は、タングステン粉末、タングステン化合物粉末、鉛粉末、鉛化合物粉末、鉄粉末および鉄化合物粉末の少なくとも一つを含む、請求項５記載の放射線遮蔽床材。
【請求項７】
前記遮蔽体は、１０ｇ／ｃｍ３以上の密度を有する金属粉末および金属化合物粉末と、樹脂と、の複合材である、請求項５記載の放射線遮蔽床材。
【請求項８】
前記遮蔽体は、熱可塑性樹脂とタングステン粉末とを含む樹脂組成物であって、前記熱可塑性樹脂は少なくとも、熱可塑性ポリウレタンエラストマーを樹脂中に１０〜９０重量部を含み、オレフィン系樹脂及び可塑剤の１種又は２種以上を含有する、請求項５記載の放射線遮蔽床材。
【請求項９】
前記遮蔽体は、熱可塑性エラストマーからなるエラストマーまたは、加硫ゴム中に、タングステン、Ｗ合金、ＷＣ、Ｍｏ，Ｍｏ合金からなる高密度粒子が分散した複合体であって、
前記複合体の全体積中のエラストマーまたは加硫ゴムおよび高密度粒子が、それぞれ、３５〜５０体積％と５０〜６５体積％であり、
前記高密度粒子は、１０μｍ以上１００μｍ以下の大粒子が６０〜８０体積％と、３μｍ以上６μｍ以下の中粒子が１０〜２０体積％と、１μｍ以上２μｍ以下の小粒子が１０〜２０体積％である、請求項５記載の放射線遮蔽床材。
【請求項１０】
前記嵌合部は、前記遮蔽体の端面より、その側面方向に突出した前記被覆体の一部を有する、請求項１から９のいずれか記載の放射線遮蔽床材。
【請求項１１】
前記嵌合部は、前記遮蔽体の端面において、前記遮蔽体の垂直方向に設けられた凸部および凹部を有する、請求項１から９のいずれか記載の放射線遮蔽床材。
【考案の詳細な説明】
【技術分野】
【０００１】
本考案は、放射線源からの放射線を遮蔽する放射線遮蔽床材であって、特に、床面に設置することで、床の下部に存在しうる放射線源からの放射線を遮蔽する放射線遮蔽床材に関する。
【背景技術】
【０００２】
原子力発電所や原子炉を備えるプラント、あるいは実験施設であって放射線を取り扱う施設などは、業務上必要な放射線源を取り扱う。これらの施設では、高いセキュリティおよび規則に基づいて、適切に放射線を管理している。また、規則に定められる以上の放射線管理を施すことも行われている。このような状況において、これら放射線を取り扱う施設は、一般には安全とみなされるような場所においても、放射線源からの放射線を遮蔽する処理を施すことも多い。
【０００３】
放射線を遮蔽する遮蔽部材は、密度の高い物質、例えば重金属やその化合物を用いることが多い。良く知られている遮蔽部材は、鉛もしくは鉛を主成分とする合金を用いている。このような密度の高い物質は、通過する放射線のエネルギーの大半を吸収することで、放射線を遮蔽できる。このような遮蔽部材は、上述のような放射線を取り扱う必要のある施設や作業者の防護服に用いられている。
【０００４】
一方で、放射線を取り扱う施設は、様々な部位において放射線源を有していたり、様々な位置において作業者が作業をしたりするという特性を有している。このため、遮蔽部材は、様々な部位の形状、構造、特性に合わせて取り付けられる必要がある。すなわち、取り付ける対象部位（放射線源を含んでいる部位）に応じた柔軟性を、遮蔽部材は必要とする。
【０００５】
例えば、放射線源を含む施設やプラントは、複数の階層構造を有していることも多い。このため、施設やプラントは、地階、１階、２階、３階などを有している。このため、施設やプラントは、床（逆から見れば天井）を備えている。階層構造で考えた場合には、２階の床の下である１階に放射線源がある場合には、１階の放射線源からの放射線は、１階の天井である２階の床に到達することになる。
【０００６】
このとき、２階の床面には、床材が敷き詰められており、放射線はこの床材に衝突する。床材は樹脂、コンクリートなどで形成されているが、放射線が透過してしまうこともあり、階下である１階からの放射線が２階に到達する問題があるあるいは、床面は、排気や排水を行うための通気孔を有しており、この通気孔には、グレーチングといわれる格子状の蓋が被せられている。このグレーチングを通じて階下からの放射線が到達する可能性もある。
【０００７】
このため、床材として、放射線を遮蔽できる遮蔽部材が用いられている場合には、階下である１階からの放射線が床面を越えて２階に到達することが防止できる。このような床面における階下からの放射線を遮蔽する技術が提案されている（例えば、特許文献１、２、３参照）。
【先行技術文献】
【特許文献】
【０００８】
【特許文献１】特開平１１−１３３１８５号公報
【特許文献２】実開平１−１４６１９９号公報
【特許文献３】特開２００３−４８９３号公報
【考案の概要】
【考案が解決しようとする課題】
【０００９】
特許文献１は、放射線源となる装置の上に、金属とコンクリートを組み合わせた材料からなるスタンドを載せる技術を開示する。特許文献１の技術は、階下からの放射線を遮蔽することは可能である。
【００１０】
しかしながら、特許文献１に開示されるスタンドは非常に大掛かりな装置であって、原子力発電所などの施設やプラントを建築する際に設置することは可能であるが、既に建築済みの施設やプラントに事後的に導入するのには不向きである。建築済みの施設やプラントにおいて懸念されているのは、床面において床材が敷き詰められている領域は、放射線に対する一定の遮蔽効果を有しているが、グレーチングが設置されている領域は、放射線の遮蔽が難しいことである。既存の施設やプラントは、このようなグレーチングを有していることあり、このグレーチングの領域への対応が必要である。特許文献１のような大掛かりな装置は、このような既存の施設やプラントに存在するグレーチングを塞ぐ作業を、効率的に行わせることが難しい問題がある。
【００１１】
また、特許文献１に開示される装置は、コンクリートがむき出しであるので、床への落下物からの衝撃に弱く、破損などが生じて、放射線を遮蔽する効果を弱めてしまう問題もある。
【００１２】
特許文献２は、複数の鉛マットを隙間ができないようにお互いに金具で固定する技術を開示する。
【００１３】
しかしながら、特許文献２に開示される装置も、特許文献１と同様に、事後的に設置作業することは難しい。加えて、落下物によって破損する可能性もある。また、鉛マットであるので、床面に敷き詰めると、業務従事者の作業性に影響を与えることもある。
【００１４】
特許文献３は、複数の薄い遮蔽体を透明な素材で被覆した遮蔽マットを開示する。この遮蔽マットを床面に敷き詰めると、階下からの放射線を遮蔽することができるようになる。特許文献３に開示される遮蔽マットは、金属等で形成される遮蔽体の表面に被覆体を有しているので、落下物による影響は少ない。また、床面に敷設した場合でも、業務従事者の作業性への影響は少ないと考えられる。
【００１５】
しかしながら、遮蔽体となる金属や合金は非常に重たく、これを樹脂等の素材で被覆した遮蔽マットも非常に重たくなる。このように重たい遮蔽マットを、床面とくにグレーチングの領域を含む床面に敷設するには、作業者の負担が大きくなる。特に、作業者の作業時間が長くなるので、作業者が作業中に被ばくしてしまう可能性もある。
【００１６】
以上のように、従来技術における遮蔽床材は、（１）建設済みの既存施設における敷設、（２）敷設後の破損防止や作業性確保、（３）敷設作業における効率および作業者の安全性の確保、の面で不十分であった。
【００１７】
本考案は、このような課題を解決することを目的とし、衝撃に強く、作業性が高く作業者への安全性に配慮できる、放射線遮蔽床材を提供することを目的とする。
【課題を解決するための手段】
【００１８】
上記課題を解決するために、本考案の放射線遮蔽床材は、放射線を遮蔽する遮蔽体と、遮蔽体の表面および裏面の少なくとも一方に積層される被覆体と、遮蔽体および被覆体の少なくとも一つの端面において隣接する床材と嵌合可能な嵌合部と、を備える
【考案の効果】
【００１９】
本考案の放射線遮蔽床材は、床面に存在するグレーチングなどを塞ぐように敷設されることで、階下からの放射線を遮蔽できる。結果として、例えば建築済みの施設やプラントにおける事後的な放射線遮蔽工事にも容易に対応できる。
【００２０】
また、本考案の放射線遮蔽床材は、表面に樹脂などの被覆体を有しているので、落下物に対する衝撃にも強く、業務従事者の日常業務への影響は少なくなる。
【００２１】
加えて、放射線遮蔽床材は、運搬・作業しやすいユニットであるので、敷設作業での作業効率が高まり作業者の安全性も確保される。
【図面の簡単な説明】
【００２２】
【図１】本考案の実施の形態における床面の模式図である。
【図２】本考案の実施の形態における放射線遮蔽床材の側面図である。
【図３】本考案の実施の形態における放射線遮蔽床材の側面図である。
【図４】本考案の実施の形態における放射線遮蔽床材の側面図である。
【図５】本考案の実施の形態における放射線遮蔽床材の側面図である。
【図６】本発明の実施の形態における放射線遮蔽床材の連結状態を示す斜視図である。
【図７】本考案の実施の形態における放射線遮蔽床材が敷設された床面の模式図である。
【考案を実施するための形態】
【００２３】
本考案の第１の考案に係る放射線遮蔽床材は、放射線を遮蔽する遮蔽体と、遮蔽体の表面および裏面の少なくとも一方に積層される被覆体と、遮蔽体および被覆体の少なくとも一つの端面において隣接する床材と嵌合可能な嵌合部と、を備える。
【００２４】
この構成により、建築済みの施設において、放射線を遮蔽する必要のある床面に、事後的に放射線遮蔽床材を敷設することができる。
【００２５】
本考案の第２の考案に係る放射線遮蔽床材では、第１の考案に加えて、被覆体は、衝撃に対する柔軟性を有する。
【００２６】
この構成により、放射線遮蔽床材が敷設された床面において、遮蔽体が衝撃より守られることになる。
【００２７】
本考案の第３の考案に係る放射線遮蔽床材では、第１又は第２の考案に加えて、被覆体は、放射線遮蔽床材が敷設される室内の床面、壁面および天井の少なくとも一つと同等の素材を有する。
【００２８】
この構成により、放射線遮蔽床材が敷設された室内の作業性、見た目、居住性が高く保たれる。
【００２９】
本考案の第４の考案に係る放射線遮蔽床材では、第１から第３のいずれかの考案に加えて、遮蔽体は、２０ＭＰａ以上の圧縮強度を有する。
【００３０】
この構成により、被覆体の保護と相まって、遮蔽体の破損や劣化が防止される。
【００３１】
本考案の第５の考案に係る放射線遮蔽床材では、第１から第４のいずれかの考案に加えて、遮蔽体は、金属粉末および金属化合物粉末の少なくとも一つと有機物との複合体である。
【００３２】
この構成により、遮蔽体は、柔軟性と圧縮強度を有しながらも、放射線を遮蔽する機能を実現できる。
【００３３】
本考案の第６の考案に係る放射線遮蔽床材では、第５の考案に加えて、金属粉末および金属化合物粉末の少なくとも一方は、タングステン粉末、タングステン化合物粉末、鉛粉末、鉛化合物粉末、鉄粉末および鉄化合物粉末の少なくとも一つを含む。
【００３４】
この構成により、遮蔽体の製造コストを抑えることができる。
本考案の第７の考案に係る放射線遮蔽床材では、第５の考案に加えて、遮蔽体は、１０ｇ／ｃｍ３以上の密度を有する金属粉末および金属化合物粉末と、樹脂と、の複合材である。
【００３５】
この構成により、遮蔽体は、柔軟性と圧縮強度を有しながらも、放射線を遮蔽する機能を実現できる。
【００３６】
本考案の第８の考案に係る放射線遮蔽床材では、第５の考案に加えて、遮蔽体は、熱可塑性樹脂とタングステン粉末とを含む樹脂組成物であって、熱可塑性樹脂は少なくとも、熱可塑性ポリウレタンエラストマーを樹脂中に１０〜９０重量部を含み、オレフィン系樹脂及び可塑剤の１種又は２種以上を含有する。
【００３７】
本考案の第９の考案に係る放射線遮蔽床材では、第５の考案に加えて、遮蔽体は、熱可塑性エラストマーからなるエラストマーまたは、加硫ゴム中に、タングステン、Ｗ合金、ＷＣ、Ｍｏ，Ｍｏ合金からなる高密度粒子が分散した複合体であって、複合体の全体積中のエラストマーまたは加硫ゴムおよび高密度粒子が、それぞれ、３５〜５０体積％と５０〜６５体積％であり、高密度粒子は、１０μｍ以上１００μｍ以下の大粒子が６０〜８０体積％と、３μｍ以上６μｍ以下の中粒子が１０〜２０体積％と、１μｍ以上２μｍ以下の小粒子が１０〜２０体積％である
【００３８】
これらの構成により、遮蔽体は、柔軟性と圧縮強度を有しながらも、放射線を遮蔽する機能を実現できる。
【００３９】
本考案の第１０の考案に係る放射線遮蔽床材では、第１から第９のいずれかの考案に加えて、嵌合部は、遮蔽体の端面より、その側面方向に突出した被覆体の一部を有する。
【００４０】
本考案の第１１の考案に係る放射線遮蔽床材では、第１から第９のいずれかの考案に加えて、嵌合部は、遮蔽体の端面において、遮蔽体の垂直方向に設けられた凸部および凹部を有する。
【００４１】
これらの構成により、ユニット毎に連結される放射線遮蔽床材は、確実に連結される。
【００４２】
以下、図面を用いて、本考案の実施の形態について説明する。
【００４３】
（実施の形態）
【００４４】
実施の形態について説明する。
【００４５】
（全体概要）
図１は、本考案の実施の形態における床面の模式図である。床面１は、原子力発電所、放射線を取り扱う実験施設やプラントなどの建築物の床の状態を示している。床面１は、床材３が敷設されていることが普通である。床材３は、樹脂やビニールなどの素材で形成されていることが多く、コンクリートや鉄骨で形成されている床面１の上に敷設されている。
【００４６】
一方で、床面１は、通気や排水のための開口部を有していることがあり、この開口部には、格子状の網目を有するグレーチング２が嵌め込まれている。既に建設済みの施設やプラントでは、このようなグレーチング２がそのままに放置されていることが多い。このグレーチング２は、階下と上階とをそのまま開口して接続しているわけではなく、グレーチング２の底面には、階下の天井面が存在している。しかしながら、床材３が敷設されている領域に比べれば、階下と上階との境界における部材の厚みが薄い。加えて、床材３が放射線を遮蔽できる機能を有しているのに対して、グレーチング２はこの機能を有していない。すなわち、グレーチング２の領域は、床材３が敷設されている領域に比較して、階下からの放射線を透過させてしまう可能性を有している。
【００４７】
このため、このようなグレーチング２が存在する床面１には、放射線を遮蔽できる放射線遮蔽床材を敷設する必要がある。このとき、床面１においては、グレーチング２の領域にだけ、実施の形態の放射線遮蔽床材を敷設してもよいが、床面１の上で業務に従事する事業者にとっての不便を生じさせないことのために、グレーチング２以外の領域も含めて、放射線遮蔽床材が敷設されることが好ましい。
【００４８】
図２は、本考案の実施の形態における放射線遮蔽床材の側面図である。図２は、放射線遮蔽床材１０を側面から見た状態を示しており、ある放射線遮蔽床材１０とこれに隣接する放射線遮蔽床材１０Ａとが連結している状態を示している。図２においては、放射線遮蔽床材１０と放射線遮蔽床材１０Ａとは、共に実施の形態における放射線遮蔽床材１０であり、隣接する別体であることを区別するために符号を変えている。また、放射線遮蔽床材１０と放射線遮蔽床材１０Ａとは、構造的には同様である。但し、必要に応じた形状、模様、色味の違いを許諾しないわけではない。
【００４９】
放射線遮蔽床材１０は、放射線を遮蔽する機能を有する遮蔽体１１と、遮蔽体１１の表面および裏面の少なくとも一方に積層される被覆体１２，１３（図２では、遮蔽体１１の表面に被覆体１２が積層され、遮蔽体１１の裏面に被覆体１３が積層されている）と、遮蔽体１１および被覆体１２、１３の少なくとも一つの端面において隣接する床材（図２では、放射線遮蔽床材１０Ａ）と嵌合可能な嵌合部１４と、を備えている。
【００５０】
なお、放射線遮蔽床材１０Ａは、放射線遮蔽床材１０と同様の構成を有している。このため、符号の「Ａ」は、数字符号のみと同じ要素である。
【００５１】
遮蔽体１１は、金属粉末や金属化合物粉末を含むことで、放射線の透過を遮蔽する機能を有している。具体的には、遮蔽体１１に衝突する放射線は、遮蔽体１１が含む金属粉末などによってそのエネルギーを減衰させる。この作用によって、遮蔽体１１は、放射線を遮蔽できる。
【００５２】
一方で、遮蔽体１１は、金属粉末などを含む部材であるので、硬質であり、その表面に落下物があると、その衝撃で破損を生じさせる。もちろん、金属質の床面１になってしまうので、室内での作業者にとっても作業性や居住性を悪くさせる問題がある。
【００５３】
被覆体１２、１３は、このような遮蔽体１１に積層されるので、放射線遮蔽床材１０が敷設された床面１は、被覆体１２、１３をその表面に見せる。ここで、被覆体１２、１３は、衝撃に対する柔軟性を有する素材で形成されており、落下物による床材の破損を防止できる。当然に、床材の表面は柔軟性のある被覆体１２、１３で覆われているので室内の作業性や居住性も高まる。
【００５４】
図２では、被覆体１２および被覆体１３の双方が設けられているが、被覆体１２、１３は、遮蔽体１１の表面のみもしくは裏面のみに設けられても良い。図３は、本考案の実施の形態における放射線遮蔽床材の側面図であり、遮蔽体１１の表面のみに被覆体１２が積層されている状態を示している。
【００５５】
遮蔽体１１は、金属粉末などを含む硬質の部材であるが、被覆体１２によってその表面（作業者や落下物と接触する面）が覆われることで、落下物による破損や作業性劣化を防止できるようになるからである。
【００５６】
以上のように、放射線遮蔽床材１０は、放射線を遮蔽できる遮蔽体１１と被覆体１２、１３との積層によって、放射線の遮蔽、破損防止、作業性の向上を実現させる。
【００５７】
（ユニット同士の接続による敷設）
【００５８】
放射線遮蔽床材１０は、運搬、作業等において作業者にとって非常に負荷が小さい程度の大きさ、重量を有している。すなわち、放射線遮蔽床材１０は、布袋の大きさ・重量を有するユニットに分割された状態である。例えば、放射線遮蔽床材１０は、１０ｃｍ〜数１０ｃｍ四方（正方形でも長方形でも多角形でもよい）で、数１００ｇ〜数Ｋｇ程度の重量を有する。このような放射線遮蔽床材１０は、運搬も設置作業も容易であり、作業者が床面１に敷設するのに要する作業時間も非常に短くなる。作業時間が短くなることで、敷設作業者の安全性も高く保たれる。
【００５９】
このようにユニットとして他の放射線遮蔽床材と組み合わされる放射線遮蔽床材１０は、隣接する放射線遮蔽床材との嵌合のために、嵌合部１４を有している。
【００６０】
嵌合部１４は、様々な構造や機能によって実現されれば良い。例えば、隣接する床材（放射線遮蔽床材であってもよいし、一般の床材であってもよい）と接する端面であって、遮蔽体１１の端面および被覆体１２、１３の少なくとも一つの端面において、嵌合部１４が設けられればよい。
【００６１】
図２、図３では、放射線遮蔽床材１０の被覆体１２の端面の一部が突出しており、これと隣接する放射線遮蔽床材１０Ａの被覆体１２Ａの端面の一部が凹んでいる。この突出と凹部１５とが嵌め合わされることで、隣接する放射線遮蔽床材１０と放射線遮蔽床材１０Ａとが嵌合する。すなわち、この突出部（あるいは凹部１５）が嵌合部１４となる。
【００６２】
このような嵌合部１４によって、運搬および作業しやすい程度の所定の大きさを有する放射線遮蔽床材１０は、他の放射線遮蔽床材と次々と組み合わされて、床面１全体に敷設されるようになる。
【００６３】
作業者は、室内に運搬された複数の放射線遮蔽床材１０のそれぞれを、床面１に対して合わせるようにして嵌合部１４を用いて組み合わせていく。組み合わせられる放射線遮蔽床材１０が広がっていき、床面１全体が放射線遮蔽床材１０の組み合わせによって覆われるようになる。もちろん、このとき、グレーチング２以外の領域などにおいて、放射線遮蔽床材１０以外の通常の床材が敷設されても良い。この場合には、通常の床材は、放射線遮蔽床材１０の嵌合部１４と嵌合可能な嵌合部を有していることが好適である。
【００６４】
以上のように、床面１に放射線遮蔽床材１０が敷設されることで、（１）被覆体１２、１３が床面１の表面に現れて落下物の衝撃に耐久性を生じさせる、（２）被覆体１２、１３が表面に現れることで、作業性、居住性、見た目が良くなる、（３）被覆体１２、１３に積層する遮蔽体１１が、階下からの放射線を遮蔽する（特に、放射線の漏洩が心配されるグレーチング２の部分において効果が顕著である）との効果が実現される。更には、上述の通り、放射線遮蔽床材１０が運搬・作業しやすいユニットとなっていることで、作業時間が短縮し、作業者の安全性が確保される。
【００６５】
また、図２、図３などでは、嵌合部１４は垂直方向において隣接する放射線遮蔽床材１０を連結させるが、平面方向において隣接する放射線遮蔽床材１０を連結させても良い。すなわち、垂直断面では、隣接する放射線遮蔽床材１０は同一形状であって、平面方向に相互に凸、凹とが組み合わさって嵌合する嵌合部１４であることも好適である。
【００６６】
次に、各部の詳細について説明する。
【００６７】
（遮蔽体）
遮蔽体１１は、放射線を遮蔽する能力・機能を有する。遮蔽体１１は、シート状や板状の形状を有しており、床面１に敷設される放射線遮蔽床材１０の中心的な形状を生み出す。成型器によって、シート状や板状の遮蔽体１１とされればよい。
【００６８】
遮蔽体１１は、床面１に敷設される放射線遮蔽床材１０に用いられる。このため、室内の設備、作業員などの重量を受ける必要がある。このため、従来技術における放射線遮蔽壁材と異なり、遮蔽体１１は、所定以上の圧縮強度を備える必要がある。
【００６９】
例えば、遮蔽体１１は、２０ＭＰａ以上の圧縮強度を有することが好ましい。この圧縮強度は、ＪＩＳ  Ｋ７１８１（１９９４）やＪＩＳ  Ｋ７２０８（１９７５）などに準じて測定されるが、金属においては、「降伏応力」を示す。
【００７０】
遮蔽体１１は、金属粉末および金属化合物粉末の少なくとも一つと有機物との複合体であることが好ましい。遮蔽体１１は、床面１に敷設される放射線遮蔽床材１０に用いられるので上述の通り圧縮強度を有していることが好ましい。圧縮強度を生じさせるには一定の柔軟性も必要である。このため、遮蔽体１１は、金属粉末および金属化合物粉末だけでなく、有機物を含んでいる。この有機物が含有されることによって、圧縮強度および柔軟性が生じる。
【００７１】
例えば、遮蔽体１１は、柔軟性のある有機物である樹脂、プラスチック、ゴム中に、金属粉末および金属化合物粉末の少なくとも一方を分散して柔軟性をもついた板状やシート状であればよい。また、遮蔽体１１は、１０ｇ／ｃｍ３以上の密度を有する金属粉末および金属化合物粉末と、樹脂と、の複合材であることも好適である。この配合を有することで、遮蔽体１１が、２０ＭＰａ以上の圧縮強度を有するようになる。
【００７２】
また、金属粉末および金属化合物粉末の少なくとも一方は、タングステン粉末、タングステン化合物粉末、鉛粉末、鉛化合物粉末、鉄粉末および鉄化合物粉末の少なくとも一つを含む。入手が容易であって、コストの面やその他の面で優れているからである。例えば、タングステンは、レアメタルの一つであってコストは高いが、密度が高くて放射線の遮蔽効果に優れており、無害であることにメリットがある。
【００７３】
有機物としては、柔軟性に富む樹脂、プラスチック、ゴムなどが用いられれば良い。このような有機物が、金属粉末および金属化合物粉末の少なくとも一方との複合体を形成することで、遮蔽体３は、放射線を遮蔽する機能を有するだけでなく、湾曲などの柔軟性を生じさせることができるからである。
【００７４】
また、遮蔽体１１は、熱可塑性樹脂とタングステン粉末とを含む樹脂組成物であって、熱可塑性樹脂は少なくとも、熱可塑性ポリウレタンエラストマーを樹脂中に１０〜９０重量部を含み、オレフィン系樹脂及び可塑剤の１種又は２種以上を含有することも好適である。遮蔽体１１がこのような配合を有することで、十分な圧縮強度を有しつつ、放射線を確実に遮蔽できる機能を発揮できるようになる。
【００７５】
あるいは、遮蔽体１１の材料の他の例として、熱可塑性エラストマーからなるエラストマーまたは、加硫ゴム中に、タングステン、Ｗ合金、ＷＣ、Ｍｏ，Ｍｏ合金からなる高密度粒子が分散した複合体がある。この複合体の全体積中のエラストマーまたは加硫ゴムおよび高密度粒子が、それぞれ、３５〜５０体積％と５０〜６５体積％である。さらに、高密度粒子は、１０μｍ以上１００μｍ以下の大粒子が６０〜８０体積％と、３μｍ以上６μｍ以下の中粒子が１０〜２０体積％と、１μｍ以上２μｍ以下の小粒子が１０〜２０体積％である。このような複合体を用いることで、遮蔽体１１は、確実に放射線を遮蔽できる。
【００７６】
（被覆体）
次に、被覆体１２、１３について説明する。
【００７７】
被覆体１２、１３は、遮蔽体１１の表面および裏面の少なくとも一方に積層される。図２では、表面と裏面のそれぞれに被覆体１２、１３が積層されており、図３では、表面のみに被覆体１２が積層されている。被覆体１２、１３の役割の一つとして、遮蔽体１１の保護があるので、表面のみに被覆体１２が積層されることで、一定程度、この役割は実現される。
【００７８】
被覆体１２、１３は、遮蔽体１１と同様に板状やシート状を有していることが好適である。もちろん、薄膜であってもよいが、設置される装置や作業者からの圧力による衝撃に対応するために、一定以上の厚みを有していることが好適である。
【００７９】
また、被覆体１２、１３は、遮蔽体１１と同様の形状および大きさを有していればよい。遮蔽体１１に積層されることによって、放射線遮蔽床材１０が形成されるからである。なお、嵌合部１４の形成状態によって、被覆体１２、１３と遮蔽体１１との形状や大きさに差が生じることもある。
【００８０】
被覆体１２、１３は、衝撃に対する柔軟性を有する素材で形成されることが好ましい。例えば、樹脂、ビニール、ゴム、化学繊維、天然繊維、ポリエチレンやポリプロピレンなど無害、安価で加工しやすく、丈夫な素材で形成されればよい。このような素材であれば、室内の作業者にとっても快適な床面となり、落下物や設置物による衝撃によって、遮蔽体１１が破損することが減少するからである。遮蔽体１１が破損すると、遮蔽体１１における放射線の遮蔽効果が低減する。このため、被覆体１２、１３によって遮蔽体１１の破損が防止されることで、放射線遮蔽効果が長期間維持されやすくなる。
【００８１】
また、被覆体１２、１３は、放射線遮蔽床材１０が敷設される室内の床面１、壁面および天井の少なくとも一つと同等の素材を有することも好適である。同等の素材とは、材質、色、反射率、模様などを含む。被覆体１２、１３が、床面、壁面および天井の少なくとも一つと同等の素材を有することで、室内の見た目および居住性が高まるからである。
【００８２】
このため、放射線遮蔽床材１０は、敷設される現地の状況の把握の後で、被覆体１２、１３の材質、色、反射率、模様などが決定されても良い。
【００８３】
被覆体１２、１３は、遮蔽体１１に接着されても良いし溶着されてもよい。一般的には、接着剤によって、被覆体１２、１３は、遮蔽体１１に接着される。実施の形態における放射線遮蔽床材１０は、遮蔽体１１に被覆体１２、１３が積層された状態で流通すればよい。
【００８４】
また、被覆体１２、１３は、表面と裏面とを区別できる識別を有していることも好適である。作業者の作業が容易になるからである。例えば、表面には「表」との文字、マーク、凹、凸などが設けられることで、作業者は放射線遮蔽床材１０の表面と裏面とを容易に区別できるので、作業時時間が早まり作業における安全性が更に高まる。あるいは、被覆体１２、１３の有する色味、模様、マーク、形状などによって、床面に敷設する際の方向（嵌合方向）が敷設作業者に簡単に分かるようになっていることも好適である。
【００８５】
被覆体１２および被覆体１３のいずれか一方は、床面の表面になる。すなわち、居住者、作業者の足元の表面となる。このため、居住者や作業者への便宜を図るために、被覆体１２および被覆体１３の少なくとも一方が、その表面に滑り止めを有していることも好適である。表面粗さ加工（表面に凸凹が形成されたり、細かなスリットが形成されたりする）や表面処理（化学処理や物理処理）などによって、滑り止めが実現されればよい。
【００８６】
（嵌合部）
次に嵌合部１４について説明する。図４は、本考案の実施の形態における放射線遮蔽床材の側面図である。
【００８７】
図４は、図２と同様の図面であるが、被覆体１２の端面に突出部１６が設けられ、更に被覆体１２の端面にこの突出部１６と嵌合する凹部１５が設けられている状態を示している。嵌合部１４は、この突出部１６（あるいは突出部１６と凹部１５とを合わせて）によって構成される。なお、嵌合部１４は、隣接する放射線遮蔽床材１０との嵌合を実現する部材であればよいので、突出部１６、凹部１５、あるいはこの両方、のいずれを嵌合部１４として把握するかは問題ではない。
【００８８】
放射線遮蔽床材１０は、隣接する放射線遮蔽床材と組み合わされる事で床面１に敷設されるので、一つの放射線遮蔽床材１０は、突出部１６と凹部１５とを備える。ある一つの放射線遮蔽床材１０は、その突出部１６を隣接する放射線遮蔽床材の凹部と嵌合させ、その凹部１５を隣接する放射線遮蔽床材の突出部と嵌合させる。
【００８９】
このように、嵌合部１４は、隣接する放射線遮蔽床材１０同士を連結させる。
【００９０】
また、嵌合部１４は、図５に示されるように、遮蔽体１１の端面において、遮蔽体１１の垂直方向に設けられた凸部および凹部によって構成されても良い。
【００９１】
図５は、本考案の実施の形態における放射線遮蔽床材の側面図である。遮蔽体１１は、その端面において、垂直方向に沿った凸部２０と隣接する凸部２０Ａと嵌合する凹部２１と、を備えている。同様に放射線遮蔽床材１０に隣接する（連結する）放射線遮蔽床材１０Ａの遮蔽体１１Ａは、凸部２０Ａと凹部２１Ａとを備えている。このとき、被覆体１２、１３のそれぞれは、凸部２０、凹部２１に合わせてその形状が定まる。
【００９２】
図５における放射線遮蔽床材１０は、この凸部２０と凹部２１とを、嵌合部１４として備えている。凸部２０と凹部２１Ａとは（凸部２０Ａと凹部２１）、嵌合することで、垂直方向における引っ掛かりを生じさせる。この結果、放射線遮蔽床材１０が平面方向（敷設方向）に引き離す圧力を受ける場合でも、強い嵌合によって、放射線遮蔽床材１０同士の連結が解放されることもない。
【００９３】
また、図６におけるように、放射線遮蔽床材１０同士は平面方向に連結されても良い。図６は、本発明の実施の形態における放射線遮蔽床材の連結状態を示す斜視図である。図６に示される放射線遮蔽床材１０は、垂直方向ではなく平面方向に凸部と凹部とからなる嵌合部１４を備えている。この嵌合部１４によって、放射線遮蔽床材１０は、隣接する放射線遮蔽床材１０と次々に平面方向で連結できる。このように平面方向で連結することで、作業が容易であって、敷設後の不具合も減少する。
【００９４】
以上のように、嵌合部１４は、様々な形状、構造を有することで、隣接する放射線遮蔽床材１０同士の連結を強固にする。嵌合部１４における嵌合が強固であることで、敷設作業中にやり直しが発生することも無くなり、作業者の安全性が確保されやすくなる。
【００９５】
（敷設状態）
以上、説明した放射線遮蔽床材１０が床面１に敷設されると、図７に示されるようにグレーチング２の部分も含めて、放射線を遮蔽できる部材で覆われることになる。結果として、階下からの放射線が遮蔽され、室内での作業者等への安全性が確保されるようになる。図７は、本考案の実施の形態における放射線遮蔽床材が敷設された床面の模式図である。図７に示されるとおり、放射線遮蔽床材１０が敷設されることで、床面１（グレーチング２も含めて）が放射線遮蔽機能によって覆われる。
【００９６】
特に、本考案の実施の形態における放射線遮蔽床材１０は、ユニットとして、床面１の面積、形状等に応じて敷設されるようになるので、建築済みの施設などにおいて、放射線を遮蔽する必要の生じた床面１（床面１の一部でもよい）に、効率的簡単な作業によって、放射線遮蔽床材１０が敷設される。この結果、室内における放射線からの安全性が高まる。
【００９７】
以上、実施の形態で説明された放射線遮蔽床材は、本考案の趣旨を説明する一例であり、本考案の趣旨を逸脱しない範囲での変形や改造を含む。
【符号の説明】
【００９８】
１    床面
２    グレーチング
３    床材
１０    放射線遮蔽床材
１１    遮蔽体
１２、１３    被覆体
１４    嵌合部
１５    凹部
１６    突出部
２０    凸部
２１    凹部
【図１】
0003167331.tif 000003
【図２】
0003167331.tif 000004
【図３】
0003167331.tif 000005
【図４】
0003167331.tif 000006
【図５】
0003167331.tif 000007
【図６】
0003167331.tif 000008
【図７】
0003167331.tif 000009